(57)【要約】  保護部を小型化すると共に針及びハブと分離することがなく、使用時において施術者の邪魔にならずに、使用時から保護時への切換も容易な医療用針を開発する。  針後端のハブに針軸心を挟んで枢着された１対の翼を有し、その各翼の先端部に関節を介して１又は２以上のリンク片を接続し、該リンク片の先端部が、針に摺動自在に外嵌された筒状の保護部に枢着され、保護部を針先端方向に移動させると翼及びリンク片が針と平行になる方向に移動し、保護部が針先端部を覆うことで、前記課題を解決する。
2011074111.tif 000002
【特許請求の範囲】
【請求項１】
針後端のハブに針軸心を挟んで枢着された１対の翼を有し、その各翼の先端部に関節を介してリンク片が接続され、該リンク片の先端部が、針に摺動自在に外嵌された筒状の保護部に枢着され、該保護部を針先端方向に移動させると前記翼及びリンク片が針と平行になる方向に移動し、該保護部が針先端部を覆うことを特徴とする医療用針。
【請求項２】
前記リンク片が、基端部が前記翼の先端部に関節を介して接続された第一リンク片と、基端部が該第一リンク片の先端部に関節を介して接続され先端部が前記保護部に枢着されている第二リンク片からなる請求項１の医療用針。
【請求項３】
前記保護部を針の基端側に移動させたときに、前記第一リンク片が前記翼に収納される請求項２の医療用針。
【請求項４】
前記翼及びリンク片がプラスチックで一体成形されたものである請求項１〜３のいずれかの医療用針。
【発明の詳細な説明】
【技術分野】
【０００１】
本発明は、麻酔などに使用される医療用針で、特に使用の便のために翼を有し、使用後の誤刺を防止する機能を持ったものに関する。
【背景技術】
【０００２】
使用の便のために翼を有し、使用後の誤刺を防止する機能を持った医療用針は、例えば下記特許文献１，２などに開示されている。
これらに示される医療用針は、筒状の保護部（プロテクタ）が針及びハブの全体を覆う大型のものであり、しかも針及びハブとは別体となっているので、使用時において施術者の邪魔となっていた。
【先行技術文献】
【特許文献】
【０００３】
【特許文献１】特開２００４−２４８９９３
【特許文献２】特開２００９−１９５５５２
【発明の概要】
【発明が解決しようとする課題】
【０００４】
本発明は、保護部を小型化すると共に針及びハブと分離することがなく、使用時において施術者の邪魔にならずに、使用時から保護時への切換も容易な医療用針を開発することを課題とするものである。
【課題を解決するための手段】
【０００５】
〔請求項１〕
本発明は、針後端のハブに針軸心を挟んで枢着された１対の翼を有し、その各翼の先端部に関節を介して１又は２以上のリンク片が接続され、該リンク片の先端部が、針に摺動自在に外嵌された筒状の保護部に枢着され、該保護部を針先端方向に移動させると前記翼及びリンク片が針と平行になる方向に移動し、該保護部が針先端部を覆うことを特徴とする医療用針である。【０００６】
本発明において、保護部は針全体を覆う必要がなく、針先端部のみを覆うものであるので、非常に小型化され、針使用時の邪魔にならない。
保護部の動作は翼及びリンク片により規制され、針から脱落するおそれがない。
翼は、使用時において、針軸心とほぼ直角の角度をなし、施術者は翼を保持して作業を行うことができる。保護部を針先端に移動して針先端部を保護したとき、翼及びリンク片は針軸心とほぼ平行になり、さらなる保護部の移動を制限する。
本発明は、翼を、保護部の移動を規制するリンク機構の部材として兼用するところに特徴があり、これによりリンク機構の部品点数が少なくなり、使用時にリンク機構が邪魔にならずコストダウンにもなる。【０００７】
〔請求項２〕
また本発明は、前記リンク片が、基端部が前記翼の先端部に関節を介して接続された第一リンク片と、基端部が該第一リンク片の先端部に関節を介して接続され先端部が前記保護部に枢着されている第二リンク片からなる請求項１の医療用針である。【０００８】
〔請求項３〕
また本発明は、前記保護部を針の基端側に移動させたときに、前記第一リンク片が前記翼に収納される請求項２の医療用針である。【０００９】
各翼に接続するリンク片は、複数のものが直列に連なったものでもよい。リンク片を第一、第二の２つのリンク片とすることで、第一リンク片を完全に翼内に収納することができ、使用時にリンク片が全く邪魔にならないようにすることができる。【００１０】
〔請求項４〕
また本発明は、前記翼及びリンク片がプラスチックで一体成形されたものである請求項１〜３のいずれかの医療用針である。【００１１】
翼及びリンク片は、プラスチックで一体成形することができる。このようにすることで、部品点数を少なくし、組み立てが容易になり、結果として製造コストを低減できる。
【発明の効果】
【００１２】
本発明は、保護部が小型化されるため、使用時に保護部が邪魔にならない。また、翼及びリンク片により保護部の移動が規制され、保護部が針及びハブから脱落するおそれがない。使用時から保護時への切換は、保護部を指で摘んで針先端方向に移動させればよいので簡単である。
【図面の簡単な説明】
【００１３】
【図１】実施例の医療用針１の平面図である（使用時）。
【図２】医療用針１の側面図である（使用時）。
【図３】医療用針の正面図である（使用時）。
【図４】医療用針の平面図である（保護部の移動時）。
【図５】医療用針の平面図である（保護部移動完了時）
【図６】医療表針の平面図である（保護時）。
【図７】保護部１１の断面図である（通常時）。
【図８】保護部１１の断面図である（伸長時）。
【発明を実施するための形態】
【実施例】
【００１４】
図１〜８は、実施例の医療用針１に関する。
医療用針１は、針２、ハブ３、翼４、第一リンク片５、第二リンク片６、保護部１１などからなる。
針２の後端には、プラスチック製の筒状ハブ３が嵌め込まれている。ハブ３は、スタイレット、内針、カテーテルなどを針に挿入し、又は薬液を注入するために用いられる。
ハブ３には、針２の軸心を挟むような対称位置に１対の翼４が枢着部７で枢着されている。翼４はプラスチック製で、概略四辺形のフレーム状をなし、基端側に軸受穴が形成されている。枢着部７は、翼４の軸受穴にハブに形成された軸３ａを軸着した構成となっている。【００１５】
翼４の先端部には関節８を介して第一リンク片５の基端部が接続され、第一リンク片５の先端部には関節９を介して第二リンク片６の基端部が接続されている。
翼４、第一リンク片５、第二リンク片６はプラスチックで一体成形され、関節８，９はプラスチックの弾性により自由に折り曲がるようになっている。図１〜３に示すように、医療用針の使用時においては第一リンク片５は翼４のフレーム状の内部に完全に収納される。
翼４、第一リンク片５、第二リンク片６を別部材で形成する場合は、関節８，９は折り曲がり自在の枢着構造にすることができる。【００１６】
第二リンク片６の先端部には保護部１１が枢着部１０により枢着されている。枢着部１０は、第二リンク片６の先端部に形成された軸６ａを保護部１１の本体１２基端部に形成された軸受穴１２ｃに軸着した構造となっている。【００１７】
保護部１１はプラスチック製で、筒状の本体１２と伸長部１３を入れ子式に組み合わせたものである。使用時においては、図７に示すように本体の突条１２ａと伸長部１３の突条１３ａにより短くなった状態で位置決めされており、保護時には、図８に示すように本体の突条１２ｂと伸長部１３の突条１３ａにより伸長した状態で位置決めされる。【００１８】
図１〜３に示すのは使用時で、翼４が針の軸心とほぼ直角になっており、この状態で針を人体に穿刺し、カテーテルを挿入するなどの施術が行われる。
施術が完了して医療用針１を人体から抜き去った後は、保護部１１を指で摘んで針２の先端方向に移動する。図４は保護部１１を針２の中間部まで移動した状態、図５は先端部付近まで移動した状態で、図５において翼４、第一リンク片５、第二リンク片６は針２の軸心とほぼ平行になっている。図５の状態から保護部１１の伸長部１３を更に針２の先端方向に移動すると、伸長部１３が図８に示すように伸長し、針２の先端部を完全に覆って図６の状態になる。
これにより、使用後の誤刺が完全に防止される。【００１９】
保護部の入れ子式の伸長機能は必ずしも必要ではない。すなわち、図５の状態で保護部が針先を覆う場合は必要ない。
【符号の説明】
【００２０】
１  医療用針
２  針
３  ハブ
３ａ  軸
４  翼
５  第一リンク片
６  第二リンク片
６ａ  軸
７  枢着部
８  関節
９  関節
１０  枢着部
１１  保護部
１２  本体
１２ａ  突条
１２ｂ  突条
１２ｃ  軸受穴
１３  伸長部
１３ａ  突条
【図１】
2011074111.tif 000003
【図２】
2011074111.tif 000004
【図３】
2011074111.tif 000005
【図４】
2011074111.tif 000006
【図５】
2011074111.tif 000007
【図６】
2011074111.tif 000008
【図７】
2011074111.tif 000009
【図８】
2011074111.tif 000010
【手続補正書】
【提出日】平成22年7月6日(2010.7.6)
【手続補正１】
【補正対象書類名】特許請求の範囲
【補正対象項目名】全文
【補正方法】変更
【補正の内容】
【特許請求の範囲】
【請求項１】
針後端のハブに針軸心を挟んで枢着された１対の翼を有し、その各翼の先端部に関節を介してリンク片が接続され、該リンク片の先端部が、針に摺動自在に外嵌された筒状の保護部に枢着され、該保護部を針先端方向に移動させると前記翼及びリンク片が針と平行になる方向に移動し、該保護部が針先端部を覆い、
前記リンク片は、基端部が前記翼の先端部に関節を介して接続された第一リンク片と、基端部が該第一リンク片の先端部に関節を介して接続され先端部が前記保護部に枢着されている第二リンク片からなることを特徴とする医療用針。
【請求項２】
前記保護部を針の基端側に移動させたときに、前記第一リンク片が前記翼に収納される請求項１の医療用針。
【請求項３】
前記翼及びリンク片がプラスチックで一体成形されたものである請求項１又は２の医療用針。
【手続補正２】
【補正対象書類名】明細書
【補正対象項目名】０００５
【補正方法】変更
【補正の内容】
【０００５】
〔請求項１〕
本発明は、針後端のハブに針軸心を挟んで枢着された１対の翼を有し、その各翼の先端部に関節を介してリンク片が接続され、該リンク片の先端部が、針に摺動自在に外嵌された筒状の保護部に枢着され、該保護部を針先端方向に移動させると前記翼及びリンク片が針と平行になる方向に移動し、該保護部が針先端部を覆い、前記リンク片は、基端部が前記翼の先端部に関節を介して接続された第一リンク片と、基端部が該第一リンク片の先端部に関節を介して接続され先端部が前記保護部に枢着されている第二リンク片からなることを特徴とする医療用針である。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
〔請求項２〕
また本発明は、前記保護部を針の基端側に移動させたときに、前記第一リンク片が前記翼に収納される請求項１の医療用針である。
【手続補正５】
【補正対象書類名】明細書
【補正対象項目名】００１０
【補正方法】変更
【補正の内容】
【００１０】
〔請求項３〕
また本発明は、前記翼及びリンク片がプラスチックで一体成形されたものである請求項１又は２の医療用針である。
【国際調査報告】
2011074111.tif 000011
2011074111.tif 000012
2011074111.tif 000013
2011074111.tif 000014
2011074111.tif 000015
2011074111.tif 000016